(57)【要約】      （修正有）【課題】把持部が蓋部材の外周から突出することなく、全体をコンパクトなものにできる水筒を提供する。【解決手段】容器本体１と、蓋部材２とを備える。蓋部材２は、蓋本体３と、注出用蓋４とを備える。蓋本体３は、上部全周に渡って外周壁を備え、外周壁に少なくとも１部が凹まされた把持部３２が設けられている。【選択図】図２
0003187823.tif 000002
【実用新案登録請求の範囲】
【請求項１】
容器本体と、前記容器本体の端部に取り付けられた蓋部材とを備え、
前記蓋部材は、軸回りの全周に設けられた外周壁を備え、
前記外周壁には、軸方向の一部が他の部分よりも凹まされた把持部が設けられ、
前記把持部は、前記周方向の少なくとも一部に形成されていることを特徴とする水筒。
【請求項２】
前記把持部は、前記外周壁の全周に渡って形成されていることを特徴とする請求項１記載の水筒。
【請求項３】
前記把持部は、最も径の小さい底部と、前記把持部の上端から前記底部に向けて軸方向に漸次小径になる漸小部とを備えていることを特徴とする請求項２記載の水筒。
【請求項４】
前記蓋部材は、筒孔を有する円筒状の蓋本体と、前記蓋本体に連結された注出用蓋とを備え、
前記蓋本体は、前記内周に、前記注出用蓋を連結した注出用蓋連結ネジ部を備え、
前記漸小部は、前記外周における前記蓋本体の上端を含む軸方向の所定の長さ範囲に形成され、
前記注出用蓋は、前記蓋本体の上端面に当接して前記蓋本体の筒孔を上方側から塞ぐ略円形状の天板部と、前記天板部の下方側に、前記注出用蓋連結ネジ部に螺合する蓋本体連結ネジ部を有する軸部とを備え、
前記天板部は、前記漸小部の上端の径よりも径大に形成されていることを特徴とする請求項３記載の水筒。
【考案の詳細な説明】
【技術分野】
【０００１】
本考案は、水筒に関するものである。
【背景技術】
【０００２】
従来から、容器本体と、前記容器本体の端部に取り付けられた蓋部材とを備えた水筒が知られており、例えば特許文献１に、そのような水筒が開示されている。この特許文献１に開示された水筒は、蓋部材の外周から突設された把持部を備えたものである。これにより、蓋部材が容器本体に取り付けられた状態で、把持部を把持して容器本体内の水等の液体を注出操作できるようにしている。
【先行技術文献】
【特許文献】
【０００３】
【特許文献１】特開２０１１−５７２９０号公報
【考案の概要】
【考案が解決しようとする課題】
【０００４】
しかしながら、上記特許文献１に開示された水筒では、把持部が蓋部材の外周から突設されているため、全体が嵩張ったものになってしまう。そのため、例えば水筒を冷蔵庫に入れた場合、把持部が邪魔になって他の部材が冷蔵庫に入れ難くなってしまう。
【０００５】
本考案は、把持部が蓋部材の外周から突出することなく、水筒の全体をコンパクトなものにできる水筒を提供することを目的としている。
【課題を解決するための手段】
【０００６】
上記課題を解決するために、本考案は、容器本体と、前記容器本体の端部に取り付けられた蓋部材とを備え、前記蓋部材は、軸回りの全周に設けられた外周壁を備え、前記外周壁には、軸方向の一部が他の部分よりも凹まされた把持部が設けられ、前記把持部は、前記周方向の少なくとも一部に形成されていることを特徴とする水筒を提供する。
【０００７】
これによれば、把持部に手や指を引っ掛けるようにして把持できる。又、把持部が外周壁から突出させずに済み、コンパクトなものにできる。これにより、例えば冷蔵庫に入れた場合でも、把持部が他の部材の邪魔になるようなことがないものにできる。
【０００８】
前記蓋部材において、前記把持部は、前記外周壁の全周に渡って形成されている構成とできる。
【０００９】
これによれば、把持部に手や指を、より引っ掛け易くでき、把持し易いものにできる。例えば全体を横にして寝かした状態で冷蔵庫に入れた場合でも、把持部に指を引っ掛けて取り出し易くできる。
【００１０】
前記蓋部材において、前記把持部は、最も径の小さい底部と、前記把持部の上端から前記底部に向けて軸方向に漸次小径になる漸小部を備えている構成とできる。
【００１１】
これによれば、把持部の漸小部に手や指を、より一層、引っ掛け易く、冷蔵庫等から取り出し易いものにできる。
【００１２】
前記蓋部材において、前記蓋部材は、筒孔を有する円筒状の蓋本体と、前記蓋本体に連結された注出用蓋とを備え、前記蓋本体は、前記内周に、前記注出用蓋を連結した注出用蓋連結ネジ部を備え、前記漸小部は、前記外周における前記蓋本体の上端を含む軸方向の所定の長さ範囲に形成され、前記注出用蓋は、前記蓋本体の上端面に当接して前記蓋本体の筒孔を上方側から塞ぐ略円形状の天板部と、前記天板部の下方側に、前記注出用蓋連結ネジ部に螺合する蓋本体連結ネジ部を有する軸部とを備え、前記天板部は、前記漸小部の上端の径よりも径大に形成されている構成とできる。
【００１３】
これによれば、蓋本体と注出用蓋とは、注出用蓋連結ネジ部と蓋本体連結ネジ部とによって連結しているため、蓋本体と注出用蓋とを確実に密閉でき、例えば全体を横にして寝かした状態で冷蔵庫に入れた場合でも、蓋本体と注出用蓋との間から水等の液体が漏れるおそれの少ないものにできる。
【００１４】
又、天板部は漸小部の上端よりも径大に形成されているため、天板部の回動操作に際して漸小部が接触することがなく、天板部の回動操作を容易に行うことができる。又、天板部が把持部を把持した手の滑り止めとなり、把持部を把持した手から水筒がすべり落ち難いものにできる。
【考案の効果】
【００１５】
本考案の水筒は、把持部が蓋部材の外周から突出することなく、水筒の全体をコンパクトなものにできる。
【図面の簡単な説明】
【００１６】
【図１】本考案の水筒の平面図である。
【図２】図１のＩＩ−ＩＩ線断面図である。
【図３】図１のＩＩＩ−ＩＩＩ線断面図である。
【図４】図１の水筒に用いる蓋部材の蓋本体の平面図である。
【図５】図４のＶ―Ｖ線断面図である。
【図６】図４のＶＩ―ＶＩ線断面図である。
【図７】蓋部材の注出用蓋の平面である。
【図８】図７のＶＩＩＩ―ＶＩＩＩ線断面図である。
【図９】図７のＩＸ―ＩＸ線断面図である。
【図１０】注出用蓋を開けた状態の水筒の要部の断面図である。
【考案を実施するための形態】
【００１７】
以下、本考案を実施するための形態について、図面を参照しながら詳細に説明する。図１は、本考案の蓋部材を備えた水筒の平面図、図２は、図１のＩＩ−ＩＩ線断面図、図３は、図１のＩＩＩ−ＩＩＩ線断面図である。
【００１８】
本考案の水筒１０は、図１〜図３に示すように容器本体１と、蓋部材２とを備えている。容器本体１は、この実施形態では、合成樹脂製の有低円筒状のものからなり、内部に、水等の液体を収納できるようになっている。この容器本体１は、上端部の外周に、蓋部材２を取り付けるための容器本体ネジ部１１を備えている。尚、容器本体１は、合成樹脂製のものに限らず、例えばガラス製のものでもよく、適宜変更し得る。
【００１９】
蓋部材２は、合成樹脂製の蓋本体３と、蓋本体３に連結された合成樹脂製の注出用蓋４とを備えている。
【００２０】
蓋本体３は、図４〜図６に示すように、筒孔３ａを有する略円筒状を呈し、軸回りの全周に設けられた外周壁を備えており、軸方向の一端部側となる下端部側の内周に、容器本体１の上端部に取り外し自在に取り付けられる容器本体取付部を備えている。
【００２１】
容器本体取付部は、この実施形態では、容器本体ネジ部１１に螺合する容器本体取付ネジ部３１とされている。なお、この実施形態では、蓋本体３の内周における容器本体取付ネジ部３１の上方側に、パッキン配設部３５を備え、パッキン配設部３５に蓋本体漏れ防止用パッキン５１（図２、図３に図示）が収納されるようになっている。
【００２２】
又、蓋本体３は、軸方向の他端部側となる上端部側の外周壁に、把持部３２と、容器本体１に収納された液体を外に注ぐ注ぎ口３６とを備えている。把持部３２は、外周壁の軸方向の一部を径方向内側に凹ませるようにして形成されている。この実施形態では、把持部３２は、全周にわたって、下端部の外径よりも径小に形成されている。
【００２３】
また、この実施形態の把持部３２は、断面円弧状に径方向内側に凹まされるようにして形成され、最も径小に形成された底部３２ｂと、把持部３２の上端から底部３２ｂに向かって軸方向に漸次径小になる漸小部３２ａを備えている。又、この実施形態の漸小部３２ａは、蓋本体３の上端面３ｂから下方側の底部３２ｂにかけて軸方向の所定の長さ範囲に形成されている。尚、漸小部３２ａは、断面円弧形状のものに限らず、例えば断面直線状のテーパ面から構成されてもよく、適宜変更できる。
【００２４】
注ぎ口３６は、蓋本体３の上部側の一部を、内周から外周にかけて、径方向外側に略逆三角錘状に突出させるように形成されている。これにより、筒孔３ａの上部側の一部が、径方向外側に溝状に広がっている。
【００２５】
又、蓋本体３は、内周における容器本体取付ネジ部３１の上方側に、注出用蓋４と連結する注出用蓋連結ネジ部３３を備えている。
【００２６】
この実施形態では、注出用蓋連結ネジ部３３は、蓋本体３の筒孔３ａ内に形成された内筒体３４に形成されている。詳しくは、蓋本体３は、筒孔３ａ内における容器本体取付ネジ部３１の上方側に、円筒状の内筒体３４を備えている。そして、注出用蓋連結ネジ部３３は、その内筒体３４の内周に形成されている。
【００２７】
注出用蓋４は、図７〜図９に示すように、天板部４１と、天板部４１の下方側に天板部４１よりも径小に形成された軸部４２とを備えている。
【００２８】
天板部４１は、略円形状に形成され、下面が蓋本体３の上端面３ｂの全周に当接して蓋本体３の筒孔３ａの全体を上方側から塞ぐことができるようになっている。
【００２９】
軸部４２は、この実施形態では、円筒状のものから構成されており、その外周に、蓋本体３の注出用蓋連結ネジ部３３に螺合する蓋本体連結ネジ部４２ａを備えている。
【００３０】
又、軸部４２は、蓋本体連結ネジ部４２ａの上方側に、パッキン配設部４２ｂを備え、このパッキン配設部４２ｂに注出用蓋漏れ防止用パッキン５２（図２、図３に図示）を配設できるようになっている。
【００３１】
以上のように構成された本考案の水筒１０は、例えば、次のようにして使用される。例えば水等の液体が容器本体１に収納され、その容器本体１の容器本体ネジ部１１に、蓋本体漏れ防止用パッキン５１が装着された蓋本体３の容器本体取付ネジ部３１が螺合される。
【００３２】
そして、その蓋本体３の注出用蓋連結ネジ部３３に、注出用蓋漏れ防止用パッキン５２が配設された注出用蓋４の蓋本体連結ネジ部４２ａが螺合される。
【００３３】
この状態で、図１〜図３に示すように、蓋本体３の筒孔３ａが、注出用蓋４の軸部４２及び注出用蓋漏れ防止用パッキン５２によって密閉された状態になり、容器本体１内の液体が筒孔３ａから漏れない状態になる。又、注出用蓋４の天板部４１が蓋本体３の筒孔３ａを上方側から塞ぎ、筒孔３ａにほこりなどが入り難い状態になっている。
【００３４】
なお、予め注出用蓋４と蓋本体３とを予め組み付けておき、その組み付けた状態で、蓋本体３を容器本体１に組み付けるようにしてもよい。
【００３５】
この状態で、例えば水筒１０を冷蔵庫に入れる。これにより、収納した液体を冷やすことができる。その際、把持部３２が蓋部材２の外周から突出していないため、他の部材を冷蔵庫に入れる際に把持部３２が邪魔になることがなく、又、複数の水筒１０を冷蔵庫に入れる際にも把持部３２が邪魔になることがなく、効率よく入れることができる。
【００３６】
又、例えば水筒１０を収納した冷蔵庫から水筒１０を取り出す場合、把持部３２を把持して取り出すことができる。その際、把持部３２が凹まされて形成されているため、把持した手が把持部３２から滑り難く、確実に把持できる。
【００３７】
又、水筒１０を冷蔵庫に、横向きにして寝かせて入れたような場合には、漸小部３２ａに手を引っ掛けるようにして水筒１０を冷蔵庫内から引き出すことができ、水筒１０を冷蔵庫から容易に取り出すことができる。
【００３８】
水筒１０から液体を出す場合は、注出用蓋４の天板部４１の外周を把持し、蓋本体３の注出用蓋連結ネジ部３３に締め込んだ注出用蓋４を回転（左回転）操作して緩める。
【００３９】
その際、天板部４１の外径が、漸小部３２ａの上端の外径よりも大きいため、漸小部３２ａに接触することなく注出用蓋４だけ把持でき、注出用蓋４を容易に回転操作できる。又、天板部４１が把持部３２を把持した手の滑り止めとなり、把持部３２を把持した手から水筒１０がすべり落ち難いものにできる。
【００４０】
これにより、図１０に示すように、蓋本体３の筒孔３ａが外部と連通するとともに、天板部４１が蓋本体３の注ぎ口３６を開放し、注ぎ口３６から液体を注ぐことができる。
【００４１】
尚、上記実施形態では、把持部３２は、断面円弧状に径方向内側に凹まされるようにして蓋本体３の全周にわたって形成されているが、この形態のものに限らず、適宜変更できる。例えば、把持部３２は、蓋本体３の外周の一部に形成されればよい。
【符号の説明】
【００４２】
１    容器本体
２    蓋部材
３    蓋本体
４    注出用蓋
１０    水筒
１１    容器本体ネジ部
３１    容器本体取付ネジ部（容器本体取付部）
３２    把持部
３２ａ    漸小部
３３    注出用蓋連結ネジ部
４２ａ    蓋本体連結ネジ部
【図１】
0003187823.tif 000003
【図２】
0003187823.tif 000004
【図３】
0003187823.tif 000005
【図４】
0003187823.tif 000006
【図５】
0003187823.tif 000007
【図６】
0003187823.tif 000008
【図７】
0003187823.tif 000009
【図８】
0003187823.tif 000010
【図９】
0003187823.tif 000011
【図１０】
0003187823.tif 000012